(57)【要約】      （修正有）【課題】多面で表示することで画面の表示範囲を拡大することができる保護ケース及び該保護ケースを用いた携帯式電子装置を提供する。【解決手段】透明材料によって、略「Ｕ」字形に湾曲して一体に成形され、且つ対向して位置する第一表示パネル１０と、第二表示パネル２０と、前記第一表示パネル１０及び前記第二表示パネル２０を一体に連接する側面部３０と、を備える。【選択図】図１
0003178772.tif 000002
【実用新案登録請求の範囲】
【請求項１】
透明材料によって、略「Ｕ」字形に湾曲して一体に成形され、且つ対向して位置する第一表示パネルと、第二表示パネルと、前記第一表示パネル及び前記第二表示パネルを一体に連接する側面部と、を備えることを特徴とする保護ケース。
【請求項２】
前記第一表示パネル及び前記第二表示パネルは平板体であり、前記側面部は、平板状の主体部及び前記主体部の両端から弧状に湾曲する２つの連接部を備えることを特徴とする請求項１に記載の保護ケース。
【請求項３】
前記第一表示パネル及び前記第二表示パネルは、それぞれタッチパネルであり、前記側面部にも、表示パネルが設けられることを特徴とする請求項１又は２に記載の保護ケース。
【請求項４】
請求項１から３のいずれか一項に記載の保護ケースと、前記保護ケースの内部に装着される駆動モジュールと、を備えることを特徴とする携帯式電子装置。
【請求項５】
前記保護ケースの内部には、前記駆動モジュールを装着するための収容空間が形成され、前記駆動モジュールは、外側に露出する３つの側面を有し、３つの前記側面には、押しボタン及び接続ポートがそれぞれ設けられることを特徴とする請求項４に記載の携帯式電子装置。
【考案の詳細な説明】
【技術分野】
【０００１】
本考案は、保護ケース及び該保護ケースを備えた携帯式電子装置に関するものである。
【背景技術】
【０００２】
現在、携帯電話機が広く用いられるようになり、消費者の携帯電話機の性能に対する要求もますます高くなっている。従来の携帯電話機は、一般的に、１つの表示パネルを備え、あらゆる情報が前記１つの表示パネルによって表示される。しかし、前記携帯電話機のスクリーンは小さいため、映像や画像等をはっきりと表示できない場合がある。
【考案の概要】
【考案が解決しようとする課題】
【０００３】
本考案は、上記の問題点を考慮してなされたものであり、多面で表示することで画面の表示範囲を拡大することができる保護ケース及び該保護ケースを用いた携帯式電子装置を提供することを目的とする。
【課題を解決するための手段】
【０００４】
上記の目的を達成するために、本考案に係る保護ケースは、透明材料によって、略「Ｕ」字形に湾曲して一体に成形され、且つ対向して位置する第一表示パネルと、第二表示パネルと、前記第一表示パネル及び前記第二表示パネルを一体に連接する側面部と、を備える。
【０００５】
また、上記の目的を達成するために、本考案に係る携帯式電子装置は、保護ケース及び前記保護ケースの内部に装着される駆動モジュールを備える。前記保護ケースは、透明材料によって、略「Ｕ」字形に湾曲して一体に成形され、且つ対向して位置する第一表示パネルと、第二表示パネルと、前記第一表示パネル及び前記第二表示パネルを一体に連接する側面部と、を備える。
【考案の効果】
【０００６】
従来の技術と比較して、本考案に係る携帯式電子装置用保護ケースの全体は、曲面を有する透明材料からなり、略「Ｕ」字形に湾曲している。前記保護ケースは、従来の金属カバー或いはハウジングに代わって携帯式電子装置の外部カバーとして使用できると共に、画面を表示する役割を果たす。また、前記保護ケースには、対向する第一表示パネル及び第二表示パネルが設けられているので、多面で表示することができ、映像及び画像の表示エリアを大幅に拡大できる。また、前記携帯式電子装置の組み立て方法は、前記保護ケースを挿入するのみであるため、組み立て工程は容易で、且つその効率も高い。
【図面の簡単な説明】
【０００７】
【図１】本考案の実施形態に係る保護ケースの斜視図である。
【図２】本考案の実施形態に係る保護ケースの平面図である。
【図３】図１に示した保護ケースを携帯式電子装置に用いた際の、使用状態を示す図である。
【考案を実施するための形態】
【０００８】
本考案の実施形態に係る保護ケース１００は、ガラス、透明樹脂或いは透明セラミック等の材料によって一体に成形され、且つ表示モジュールを備える携帯式電子装置３００の外部カバーとして使用される。
【０００９】
図１及び図２に示したように、前記保護ケース１００の全体は、湾曲した略「Ｕ」字形であり、且つ対向して位置する第一表示パネル１０と、第二表示パネル２０と、前記第一表示パネル１０及び前記第二表示パネル２０を連接する側面部３０と、を備える。また、前記側面部３０にも、画面を表示するための表示パネルを設けてもよい。
【００１０】
前記第一表示パネル１０及び前記第二表示パネル２０は平板状を呈し、前記側面部３０は、平板状の主体部３１及び前記主体部３１の両端から弧状に延伸する２つの連接部３３を備える。本考案の実施形態において、前記主体部３１の延在する平面は、前記第一表示パネル１０と前記第二表示パネル２０とにそれぞれ垂直である。しかし、前記主体部３１の延在する平面は、第一表示パネル１０及び第二表示パネル２０の延在平面に垂直でなくてもよい。
【００１１】
また、前記第一表示パネル１０及び前記第二表示パネル２０は、それぞれタッチパネルであることも可能であり、本考案に係る前記第一表示パネル１０及び前記第二表示パネル２０はタッチパネルである。前記第一表示パネル１０の全体を画像表示画面にしたり、前記第二表示パネル２０の全体或いはその一部を画像表示画面にしたりすることができる。
【００１２】
前記第二表示パネル２０には、カメラを装着するための貫通孔２１が設けられている。
【００１３】
また、前記保護ケース１００の内部には、収容空間１１０が形成されている。図３に示したように、前記携帯式電子装置３００の駆動モジュール２００（メインボード及び回路基板等を含む）は、前記収容空間１１０に対応して装着される。前記駆動モジュール２００の内部には、前記携帯式電子装置３００の各種の機能を実現するための複数の機能モジュールが設けられている。また、前記駆動モジュール２００は、外側に露出する三つの側面２１０を備え、該３つの前記側面２１０には、各種機能を備えた押しボタン２２０及び接続ポート２３０が設けられている。例えば、押しボタン２２０は、電源スイッチのボタン及びボリュームキー等であり、接続ポート２３０は、電源接続ポート及びＵＳＢポート等である。
【００１４】
前記保護ケース１００に画面を表示する機能を付与するため、真空蒸着法等によって、前記保護ケース１００の内面に高分子材料からなる薄膜を被覆してから、前記薄膜の全面に対して縦横に交わる複数の金属配線（例えば、銀ペースト線）を塗布して、前記金属配線を介して電気信号を伝送する。これに対応して、前記駆動モジュール２００の表面に前記金属配線に対応する電気接点を多数に設け、または前記保護ケース１００の周辺に前記金属配線に電圧を入力するための駆動用チップ（ＩＣ）を設け、且つフレキシブル回路基板を介して前記駆動用チップを前記駆動モジュール２００内の制御回路基板に電気的に接続することによって、前記保護ケース１００と前記駆動モジュール２００との制御信号の送受信を行う。
【００１５】
前記保護ケース１００を組み立てる場合は、前記駆動モジュール２００を前記保護ケース１００の前記収容空間１１０内に挿入してから、前記駆動モジュール２００と前記保護ケース１００間に形成された隙間内にＵＶ光学接着剤等を充填すればよい。
【００１６】
上記の実施形態によると、本考案に係る携帯式電子装置３００の前記保護ケース１００は、従来の金属カバー或いはハウジングに代わって前記携帯式電子装置３００を保護すると共に、画面を表示する役割を果たす。また、前記保護ケース１００には、対向する前記第一表示パネル１０及び前記第二表示パネル２０が設けられているので、多面で表示することができ、映像や画像の表示エリアを大幅に拡大できる。また、前記携帯式電子装置３００の組み立て方法は、前記保護ケース１００を挿入するのみであるため、組み立て工程は容易で、且つその効率も高い。
【００１７】
以上、本考案の好適な実施形態について詳細に説明したが、本考案は前記実施形態に限定されるものではなく、本考案の範囲内で種々の変形又は修正が可能であり、該変形又は修正も、本考案の特許請求の範囲内に含まれるものであることは、言うまでもない。
【符号の説明】
【００１８】
１０        第一表示パネル
２０        第二表示パネル
２１        貫通孔
３０        側面部
３１        主体部
３３        連接部
１００      保護ケース
１１０      収容空間
２００      駆動モジュール
２１０      側面
２２０      押しボタン
２３０      接続ポート
３００      携帯式電子装置
【図１】
0003178772.tif 000003
【図２】
0003178772.tif 000004
【図３】
0003178772.tif 000005